【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
拡散光トモグラフィのためのイメージングシステムにおいて、
上記システムは、
複数の光源を備え、
それぞれの光源は、別々の分離されたデジタル処理で制御される電源に接続され、かつそれぞれの他の光源から分離しており、
上記システムは、
上記複数の光源に接続された複数の光導管と、
人間被験者の部位に取り付け可能なオプトード格子とを備え、
上記オプトード格子は、上記複数の光導管に接続され、
上記システムは、
上記オプトード格子に接続され、上記人間被験者と相互作用した後、上記複数の光源から光を受信する複数の検出チャネルと、
複数の光検出器とを備え、
それぞれの光検出器は、上記検出チャネルのうちの１つのみに接続されて、上記接続されたチャネルによって受信される光を即座に検出し、
それぞれの光検出器は、別々の分離された電源を有し、
上記システムは、
複数のアナログデジタル変換器（ＡＤＣ）を備え、
それぞれのＡＤＣは、ただ１つの光検出器に接続されかつイメージングで使用するために上記接続された光検出器を別々のデジタル信号に変換するシステム。
【請求項２】
それぞれのデジタル処理で制御される電源は、最大２０ＭＨｚの広帯域幅で変調する請求項１記載の拡散光トモグラフィのためのイメージングシステム。
【請求項３】
上記複数の光源は、複数の発光ダイオードを含む請求項１記載の拡散光トモグラフィのためのイメージングシステム。
【請求項４】
上記複数の光源は、レーザダイオード、超光発光ダイオード、固体レーザ、又は別のレーザ光源からなるグループから選択される請求項１記載の拡散光トモグラフィのためのイメージングシステム。
【請求項５】
上記複数の光導管は、複数の光ファイバケーブルを含む請求項１記載の拡散光トモグラフィのためのイメージングシステム。
【請求項６】
上記複数の光ファイバケーブルのうちの少なくとも１つは複数に分枝され、単一の光源からの多重化された光を受信する請求項５記載の拡散光トモグラフィのためのイメージングシステム。
【請求項７】
それぞれのデジタル入力電源は、しきい値電圧とともに用いられて、クロストークを最小化する請求項１記載の拡散光トモグラフィのためのイメージングシステム。
【請求項８】
上記複数の光検出器は、アバランシェフォトダイオードを含む請求項１記載の拡散光トモグラフィのためのイメージングシステム。
【請求項９】
上記複数の光検出器は、フォトダイオード、又は光電子倍増管からなるグループから選択される請求項１記載の拡散光トモグラフィのためのイメージングシステム。
【請求項１０】
上記オプトード格子は、ストラップを用いて人間被験者の部位に取り付け可能な成形部品である請求項１記載の拡散光トモグラフィのためのイメージングシステム。
【請求項１１】
上記複数のデジタル信号から有限要素解析を用いて、均一モデル、階層化モデル、球モデル、半球モデル、円柱形状モデル、又は解剖学的に導出されたモデルからなるグループから選択されるモデルを生成するプロセッサをさらに備えた請求項１記載の拡散光トモグラフィのためのイメージングシステム。
【請求項１２】
有限要素解析は、有限要素フォワードライトモデリングを含む請求項１１記載の拡散光トモグラフィのためのイメージングシステム。
【請求項１３】
上記複数のデジタル信号上で、少なくとも１つのノイズ低減アルゴリズムを利用するプロセッサをさらに含む請求項１記載の拡散光トモグラフィのためのイメージングシステム。
【請求項１４】
上記少なくとも１つのノイズ低減アルゴリズムは、コントラスト対ノイズ比の増加を伴う線形回帰共分散分析を含む請求項１３記載の拡散光トモグラフィのためのイメージングシステム。
【請求項１５】
上記少なくとも１つのノイズ低減アルゴリズムは、独立成分分析を含む請求項１３記載の拡散光トモグラフィのためのイメージングシステム。
【請求項１６】
拡散光トモグラフィのためのイメージングシステムにおいて、
上記システムは、
複数の発光ダイオードを備え、
それぞれの発光ダイオードは、別々の分離されたデジタル入力電源に接続され、かつそれぞれの他の発光ダイオードから分離しており、
上記システムは、
上記複数の発光ダイオードに１対１の関係で接続された複数の光ファイバケーブルと、
人間被験者の部位に取り付け可能なオプトード格子とを備え、
上記オプトード格子は、上記複数の光ファイバケーブルに接続され、
上記システムは、
上記オプトード格子に接続され、上記人間被験者と相互作用した後、上記複数の発光ダイオードから光を受信する複数の検出チャネルと、
複数のアバランシェフォトダイオードとを備え、
それぞれのアバランシェフォトダイオードは、上記検出チャネルの１つのみに接続されて、上記接続されたチャネルによって受信される光を検出し、それぞれのアバランシェフォトダイオードは、別々の分離された電源を有し、
上記システムは、
複数のアナログデジタル変換器（ＡＤＣ）を備え、
それぞれのＡＤＣは、ただ１つのアバランシェフォトダイオードに接続されかつイメージングで使用するために上記接続されたアバランシェフォトダイオードからの信号を別々のデジタル信号に変換するシステム。
【請求項１７】
拡散光トモグラフィのためのイメージングシステムを利用する方法において、
上記方法は、
人間被験者の部位にオプトード格子を取り付けることを含み、
上記オプトード格子は、複数の光源に接続された上記複数の光導管に接続され、
それぞれの光源は、別々の分離されたデジタル入力電源に電気的に接続され、
それぞれの光源は、個別のプログラミングのための別々のデジタル制御入力を有し、
上記方法は、
複数の検出チャネルを介して上記オプトード格子に接続されて、上記検出チャネルで受信される光を即座に検出する複数の光検出器を利用することを含み、
上記受信される光は、上記人間被験者と相互作用した後、上記複数の光源によって提供され、
それぞれの光検出器は、上記検出チャネルのうちの１つのみに接続され、
それぞれの光検出器は、別々の分離された電源を有し、
上記方法は、
上記複数の光検出器からの複数の個別の信号を、イメージングのために、複数のアナログデジタル変換器（ＡＤＣ）を用いて、複数のデジタル信号に変換することを含み、
それぞれのＡＤＣは、ただ１つの光検出器に接続し、
それぞれのＡＤＣは、上記接続された光検出器からの信号のみを変換する方法。
【請求項１８】
広いダイナミックレンジにおいて高速度で信号をそれぞれのデジタル入力電源に提供することをさらに含む請求項１７記載の拡散光トモグラフィのためのイメージングシステムを利用する方法。
【請求項１９】
上記複数の光源は、発光ダイオード、レーザダイオード、超光発光ダイオード、固体レーザ、又は別のレーザ光源からなるグループから選択され、
上記複数の離散した分離された光検出器は、アバランシェフォトダイオード、フォトダイオード、又は光電子倍増管からなるグループから選択される請求項１７記載の拡散光トモグラフィのためのイメージングシステムを利用する方法。
【請求項２０】
上記複数のデジタル信号からプロセッサを利用して有限要素解析を用いて、均一モデル、階層化モデル、球モデル、半球モデル、円柱形状モデル、又は解剖学的に導出されたモデルからなるグループから選択されるモデルを生成することをさらに含む請求項１７記載の拡散光トモグラフィのためのイメージングシステムを利用する方法。
【請求項２１】
上記複数のデジタル信号上で、プロセッサを用いて少なくとも１つのノイズ低減アルゴリズムを利用することをさらに含み、
上記少なくとも１つのノイズ低減アルゴリズムは、線形回帰共分散分析、及び独立成分分析からなるグループから選択される請求項１７記載の拡散光トモグラフィのためのイメージングシステムを利用する方法。
【請求項２２】
上記複数の光検出器の前に配置され、人体の中の蛍光剤を検出するフィルタを利用することをさらに含む請求項１７記載の拡散光トモグラフィのためのイメージングシステムを利用する方法。
【請求項２３】
上記複数の光源は、デジタル領域で多重化される請求項１記載の拡散光トモグラフィのためのイメージングシステム。
【請求項２４】
上記複数の光源の積分強度は、上記検出器の実効ダイナミックレンジを拡大する可変デューティーサイクルによって制御される請求項２３記載の拡散光トモグラフィのためのイメージングシステム。